(57)【要約】【課題】電流駆動による電気光学素子の駆動制御をより高精度に行い且つ構成素子数の低減を図る。【解決手段】駆動電源Ｖｘとドライバ４ａとの間に画素回路１０が接続されたデータ線の、駆動電源Ｖｘと画素回路１０との間に、ダイオード接続されたトランジスタからなる変換トランジスタ１２を介挿する。この変換トランジスタ１２を各画素回路１０で共通のトランジスタとして利用し、各画素回路を、前記変換トランジスタ１２とカレントミラー回路を構成する駆動用トランジスタと、走査ドライバ４によって駆動され前記変換トランジスタ１２と駆動用トランジスタとの接続をオンオフする制御用トランジスタと、制御用トランジスタによって駆動用トランジスタのゲートに印加される電圧を保持する容量素子とから構成し、駆動用トランジスタによって容量素子の保持電圧に応じた電流を有機エレクトロルミネッセンス素子に供給する。【選択図】図２
2007233399.tif 000002
【特許請求の範囲】
【請求項１】
通電線と、
当該通電線に接続された複数の単位回路と、
前記通電線に接続され、且つ、当該通電線に流れる電流の電流量に基づいてゲート電圧
が設定される第１のトランジスタと、を備えた電子装置であって、
前記単位回路は、前記第１のトランジスタとカレントミラーを構成する第２のトランジ
スタを有し、
前記第２のトランジスタを流れる電流と前記通電線に流れる電流とが非線形関係となる
ように設定されてなることを特徴とする電子装置。
【請求項２】
前記第１のトランジスタのゲート電極は当該第１のトランジスタのソース端又はドレイ
ン端と接続されていることを特徴とする請求項１に記載の電子装置。
【請求項３】
通電線と、
当該通電線に接続された複数の単位回路と、
前記通電線に接続され且つ当該通電線に流れる電流の電流量に基づいてゲート電圧が設
定される第１のトランジスタと、を備えた電子装置であって、
前記単位回路は、前記第１のトランジスタとカレントミラーを構成する第２のトランジ
スタを有し、
前記第２のトランジスタを流れる電流は、前記通電線に流れる電流が大きくなれば、小
さくなるように設定されてなることを特徴とする電子装置。
【請求項４】
一端が前記１のトランジスタのソース端子又はドレイン端子に接続され、他端が前記第
１のトランジスタのゲート端子に接続された抵抗を有し、
通電線に流れる電流をＩｄａｔａとし、トランジスタの電流駆動能力を示す利得係数を
βとし、前記抵抗の抵抗値をＲとしたとき、１／（２Ｒ２・β）≦Ｉｄａｔａ≦１／（２
Ｒ２・β）を満たすことを特徴とする請求項３に記載の電子装置。
【請求項５】
前記第１のトランジスタのゲート電極は、当該第１のトランジスタのソース端又はドレ
イン端と接続されていることを特徴とする請求項３又は４に記載の電子装置。
【請求項６】
データ線と、
走査線と、
電気光学素子を有し且つ前記データ線に接続される複数の単位回路と、
前記データ線に接続され、当該データ線に流れる電流の電流量によりゲート電圧が設定
されるトランジスタと、を備え、
前記複数の単位回路のそれぞれは、ゲート電極が前記走査線に接続されたスイッチング
トランジスタ、前記電気光学素子に電気的に接続された駆動トランジスタと、と有し、
前記スイッチングトランジスタのソース端又はドレイン端は、前記駆動トランジスタの
ゲート電極に接続されており、前記データ線を介してデータ信号が前記複数の単位回路に
供給され、
前記トランジスタと前記駆動トランジスタとは、カレントミラーを構成し、
前記駆動トランジスタを流れる電流と前記データ線に流れる電流とが非線形関係となる
ように設定されてなることを特徴とする電気光学装置。
【請求項７】
前記データ信号は、デジタル−アナログ変換回路で生成されたアナログ量を有する電流
であることを特徴とする請求項６に記載の電気光学装置。
【請求項８】
前記データ線に接続される第１の電源の電圧値と、前記電気光学素子と前記駆動トラン
ジスタを介して接続される第２の電源の電圧値とは、所定の比率となるように設定される
ことを特徴とする請求項６又は７に記載の電気光学装置。
【請求項９】
データ線と、
走査線と、
電気光学素子を有し且つ前記データ線に接続される複数の単位回路と、
前記データ線に接続され、当該データ線に流れる電流の電流量によりゲート電圧が設定
されるトランジスタと、を備え、
前記複数の単位回路のそれぞれは、ゲート電極が前記走査線に接続されたスイッチング
トランジスタ、前記電気光学素子に電気的に接続された駆動トランジスタと、と有し、
前記スイッチングトランジスタのソース端又はドレイン端は、前記駆動トランジスタの
ゲート電極に接続されており、前記データ線を介してデータ信号が前記複数の単位回路に
供給され、
前記トランジスタと前記駆動トランジスタとは、カレントミラーを構成し、
前記駆動トランジスタを流れる電流は、前記データ線に流れる電流が大きくなれば、小
さくなるように設定されてなることを特徴とする電気光学装置。
【請求項１０】
前記電気光学素子は有機エレクトロルミネッセンス素子であることを特徴とする請求項
６乃至９のいずれか一項に記載の電気光学装置。
【請求項１１】
請求項６乃至９のいずれか一項に記載の電気光学装置を、表示部として利用したことを
特徴とする電子機器。
【発明の詳細な説明】
【技術分野】
【０００１】
本発明は、電流により駆動される電流駆動素子を備えた電子装置、電子光学装置及び電
子機器に関する。
【背景技術】
【０００２】
近年、液晶を用いた表示装置（以下、ディスプレイという）は薄型表示装置として普及
しつつある。このタイプのディスプレイは、ＣＲＴのディスプレイに比べて低消費電力で
省スペースである。したがって、このようなディスプレイの利点を活かし、より低消費電
力で、より省スペースのディスプレイを製造することが重要となる。
【０００３】
また、このようなタイプの表示装置に、液晶ではなく電流駆動型発光素子を用いて表示
を行うものがある。この電流駆動型発光素子は、液晶とは異なり、電流が供給されること
により発光する自発光素子であるため、バックライトが不要であり、低電力化という市場
の要求に対応することができる。さらに高い視野角、高いコントラスト比等の面で優れた
表示性能を有している。このような電流駆動型発光素子の中でもエレクトロルミネッセン
ス素子（Electroluminescent devices）は、大面積化、高精細化、フルカラー化を図るこ
とができるので、ディスプレイには特に適している。
【０００４】
このエレクトロルミネッセンス素子の中でも、有機エレクトロルミネッセンス素子（Or
ganic Electroluminescent devices）は、高い量子効率のため注目されている。
【０００５】
このような、有機エレクトロルミネッセンス素子を用いて表示を行う表示装置としては
、例えば図２１に示すような表示装置が提案されている。すなわち、この表示装置は、デ
ータ線Ｘと走査線Ｙとの交点に対応して画素回路が配置され、データドライバ５１によっ
てデータ線を駆動し、走査ドライバ５２によって走査線Ｙを駆動するようになっている。
【０００６】
前記画素回路５５は、図２２に示すように、例えば、２つのトランジスタ６１，６２と
、データ保持用の容量素子６３と、有機エレクトロルミネッセンス素子６４とから構成さ
れている。そして、走査線Ｙによってトランジスタ６１のスイッチング動作を行ってデー
タ線Ｘから供給されたデータ信号を電荷として容量素子６３に保持し、この容量素子６３
で保持された電荷によりトランジスタ６２が導通状態となり、データ信号に対応する電流
量が有機エレクトロルミネッセンス素子６４に供給され、有機エレクトロルミネッセンス
素子６４が発光する。
【発明の開示】
【発明が解決しようとする課題】
【０００７】
ところで、例えば、有機エレクトロルミネッセンス素子などのように電流駆動型素子は
電圧よりも電流で制御するほうがより容易である。これは、有機エレクトロルミネッセン
ス素子は電流量に対して輝度が決定されるので、データ信号として電流を用いたほうがよ
り制御が正確であるためである。
【０００８】
そこで、本発明の重要な目的の一つは、データ信号に対する電流量をデータ線あるいは
導通線に出力することにより、電流駆動素子を流れる電流量が決定される電子装置、電気
光学装置及び電子機器を提供することである。
【課題を解決するための手段】
【０００９】
上記目標を達成するために、本発明の電子装置は、通電線と、当該通電線に接続された
複数の単位回路と、前記通電線に接続され、且つ、当該通電線に流れる電流の電流量に基
づいてゲート電圧が設定される第１のトランジスタと、を備えた電子装置であって、前記
単位回路は、前記第１のトランジスタとカレントミラーを構成する第２のトランジスタを
有し、前記第２のトランジスタを流れる電流と前記通電線に流れる電流とが非線形関係と
なるように設定されてなることを特徴とする。
また、本発明の電子装置は、上記の電子装置であって、前記第１のトランジスタのゲー
ト電極は当該第１のトランジスタのソース端又はドレイン端と接続されていることを特徴
とする。
上記目標を達成するために、本発明の電子装置は、通電線と、当該通電線に接続された
複数の単位回路と、前記通電線に接続され且つ当該通電線に流れる電流の電流量に基づい
てゲート電圧が設定される第１のトランジスタと、を備えた電子装置であって、前記単位
回路は、前記第１のトランジスタとカレントミラーを構成する第２のトランジスタを有し
、前記第２のトランジスタを流れる電流は、前記通電線に流れる電流が大きくなれば、小
さくなるように設定されてなることを特徴とする。
また、本発明の電子装置は、上記の電子装置であって、一端が前記１のトランジスタの
ソース端子又はドレイン端子に接続され、他端が前記第１のトランジスタのゲート端子に
接続された抵抗を有し、通電線に流れる電流をＩｄａｔａとし、トランジスタの電流駆動
能力を示す利得係数をβとし、前記抵抗の抵抗値をＲとしたとき、１／（２Ｒ２・β）≦
Ｉｄａｔａ≦１／（２Ｒ２・β）を満たすことを特徴とする。
また、本発明の電子装置は、上記の電子装置であって、前記第１のトランジスタのゲー
ト電極は、当該第１のトランジスタのソース端又はドレイン端と接続されていることを特
徴とする。
上記目標を達成するために、本発明の電気光学装置は、データ線と、走査線と、電気光
学素子を有し且つ前記データ線に接続される複数の単位回路と、前記データ線に接続され
、当該データ線に流れる電流の電流量によりゲート電圧が設定されるトランジスタと、を
備え、前記複数の単位回路のそれぞれは、ゲート電極が前記走査線に接続されたスイッチ
ングトランジスタ、前記電気光学素子に電気的に接続された駆動トランジスタと、と有し
、前記スイッチングトランジスタのソース端又はドレイン端は、前記駆動トランジスタの
ゲート電極に接続されており、前記データ線を介してデータ信号が前記複数の単位回路に
供給され、前記トランジスタと前記駆動トランジスタとは、カレントミラーを構成し、前
記駆動トランジスタを流れる電流と前記データ線に流れる電流とが非線形関係となるよう
に設定されてなることを特徴とする。
また、本発明の電気光学装置は、上記の電気光学装置であって、前記データ信号は、デ
ジタル−アナログ変換回路で生成されたアナログ量を有する電流であることを特徴とする
。
また、本発明の電気光学装置は、上記の電気光学装置であって、前記データ線に接続さ
れる第１の電源の電圧値と、前記電気光学素子と前記駆動トランジスタを介して接続され
る第２の電源の電圧値とは、所定の比率となるように設定されることを特徴とする。
上記目標を達成するために、本発明の電気光学装置は、データ線と、走査線と、電気光
学素子を有し且つ前記データ線に接続される複数の単位回路と、前記データ線に接続され
、当該データ線に流れる電流の電流量によりゲート電圧が設定されるトランジスタと、を
備え、前記複数の単位回路のそれぞれは、ゲート電極が前記走査線に接続されたスイッチ
ングトランジスタ、前記電気光学素子に電気的に接続された駆動トランジスタと、と有し
、前記スイッチングトランジスタのソース端又はドレイン端は、前記駆動トランジスタの
ゲート電極に接続されており、前記データ線を介してデータ信号が前記複数の単位回路に
供給され、前記トランジスタと前記駆動トランジスタとは、カレントミラーを構成し、前
記駆動トランジスタを流れる電流は、前記データ線に流れる電流が大きくなれば、小さく
なるように設定されてなることを特徴とする。
また、本発明の電気光学装置は、上記の電気光学装置であって、前記電気光学素子は有
機エレクトロルミネッセンス素子であることを特徴とする。
また、本発明の電子機器は、上記の電気光学装置を、表示部として利用したことを特徴
とする。
上記目標を達成するために、本発明の第１の電子装置は、通電線と、当該通電線に接続
された複数の単位回路と、前記通電線に接続され且つ当該通電線に流れる電流の電流量に
基づいてゲート電圧が設定されるトランジスタと、を備えることを特徴としている。係る
電子装置の例として、例えば、ＭＲＡＭ（Magnetoresistive RAM）セル、有機エレクトロ
ルミネッセンス素子、またはレーザーダイオードを備えた電子装置を挙げることができる
。
【００１０】
また、第２の電子装置は、上記の電子装置において、前記トランジスタのゲート電極は
、当該トランジスタのソース端又はドレイン端と接続されていることを特徴としている。
本明細書を通して、「前記トランジスタのゲート電極とソース端又はドレイン端が接続さ
れている」とは、ソース端又はドレイン端とゲート電極との間にトランジスタ、ダイオー
ドなどの抵抗素子などが接続されている場合をも含んでいる。
【００１１】
本発明の第１及び第２の電子装置では、通電線に接続されたトランジスタのゲート電圧
は、この通電線に流れる電流量に基づいて設定されることとなる。
また、本発明の第３の電子装置は、通電線と、当該通電線に接続された複数の単位回路
と、前記通電線に接続され且つ当該通電線に流れる電流の電流量に基づいてゲート電圧が
設定される第１のトランジスタと、を備えた電子装置であって、前記単位回路は、前記第
１のトランジスタとカレントミラーを構成する第２のトランジスタを有することを特徴と
している。
【００１２】
また、本発明の第４の電子装置は、上記の電子装置において、前記第１のトランジスタ
のゲート電極は、当該第１のトランジスタのソース端又はドレイン端と接続されているこ
とを特徴としている。
【００１３】
本発明の第３及び第４の電子装置では、通電線に接続された第１のトランジスタのゲー
ト電圧は、この通電線に流れる電流量に基づいて設定され、第１のトランジスタのゲート
電圧に基づいて第２のトランジスタに流れる電流量が設定される。
【００１４】
本発明の第５の電子装置は、通電線と、当該通電線に接続された複数の単位回路と、前
記通電線に接続され、且つ、当該通電線に流れる電流の電流量に基づいてゲート電圧が設
定される第１のトランジスタと、を備えた電子装置であって、前記単位回路は、その導電
型がｐ型であって、前記第１のトランジスタとカレントミラーを構成する第２のトランジ
スタを有することを特徴としている。これによれば、第２のトランジスタに電子素子を接
続した電子デバイスを形成するとき、その電子デバイスの特性に基づいて、係る電子装置
を容易に形成することができる。
【００１５】
また、本発明の第６の電子装置は、上記の電子装置において、前記第１のトランジスタ
のゲート電極は当該第１のトランジスタのソース端又はドレイン端と接続されていること
を特徴としている。
【００１６】
本発明の第７の電子装置は、通電線と、当該通電線に接続された複数の単位回路と、前
記通電線に接続され、且つ、当該通電線に流れる電流の電流量に基づいてゲート電圧が設
定される第１のトランジスタと、を備えた電子装置であって、前記単位回路は、前記第１
のトランジスタとカレントミラーを構成する第２のトランジスタを有し、前記第２のトラ
ンジスタは、その利得係数を前記通電線に流れる電流の電流量より大きな電流量を生成す
るように設定したことを特徴としている。これによれば、第２のトランジスタにて生成さ
れる電流の電流量を通電線に流れる電流の電流量より大きくすることができる。
【００１７】
また、本発明の第８の電子装置は、通電線と、当該通電線に接続された複数の単位回路
と、前記通電線に接続され、且つ、当該通電線に流れる電流の電流量に基づいてゲート電
圧が設定される第１のトランジスタと、を備えた電子装置であって、前記単位回路は、前
記第１のトランジスタとカレントミラーを構成する第２のトランジスタを有し、前記第２
のトランジスタは、その利得係数を前記通電線に流れる電流の電流量より小さな電流量を
生成するように設定したことを特徴としている。これによれば、第２のトランジスタにて
生成される電流の電流量を通電線に流れる電流の電流量より小さくすることができる。
【００１８】
また、本発明の第９の電子装置は、上記の電子装置において、前記第１のトランジスタ
のゲート電極は当該第１のトランジスタのソース端又はドレイン端と接続されていること
を特徴としている。
【００１９】
また、本発明の第１の電気光学装置は、データ線と、電気光学素子を有し且つ前記デー
タ線に接続される複数の単位回路と、前記データ線に接続され、当該データ線に流れる電
流の電流量によりゲート電圧が設定されるトランジスタと、を備えることを特徴としてい
る。
【００２０】
また、本発明の第２の電気光学装置は、上記の電気光学装置おいて、走査線をさらに備
え、前記複数の単位回路のそれぞれは、前記電気光学素子に電気的に接続された駆動トラ
ンジスタと、ゲート電極が前記走査線に接続されたスイッチングトランジスタ、と有し、
前記データ線を介してデータ信号が前記複数の単位回路に供給されることを特徴としてい
る。
【００２１】
また、本発明の第３の電気光学装置は、上記の電気光学装置において、前記スイッチン
グトランジスタのソース端又はドレイン端は、前記駆動トランジスタのゲート電極に接続
されていることを特徴としている。
【００２２】
また、本発明の第４の電気光学装置は、上記の電気光学装置において、前記データ信号
は、デジタル−アナログ変換回路で生成されたアナログ量を有する電流であることを特徴
としている。
【００２３】
また、本発明の第５の電気光学装置は、上記の記載の電気光学装置において、前記トラ
ンジスタと前記駆動トランジスタとは、カレントミラーを構成することを特徴としている
。
【００２４】
また、本発明の第６の電気光学装置は、上記の電気光学装置において、前記データ線に
接続される第１の電源の電圧値と、前記電気光学素子と前記駆動トランジスタを介して接
続される第２の電源の電圧値とは、所定の比率となるように設定されることを特徴として
いる。
【００２５】
また、本発明の第７の電気光学装置は、上記の電気光学装置において、前記トランジス
タは、前記デジタル−アナログ変換回路と前記データ線との間に配置されていることを特
徴としている。
【００２６】
また、本発明の第８の電気光学装置は、上記の電気光学装置において、前記デジタル-
アナログ変換回路と前記トランジスタとの間に前記データ線が配置されていることを特徴
としている。
【００２７】
また、本発明の第９の電気光学装置は、上記の電気光学装置において、前記トランジス
タと前記デジタル-アナログ変換回路と前記データ線とは同一基体上に形成されているこ
とを特徴としている。
【００２８】
また、本発明の第１０の電気光学装置は、上記の電気光学装置において、前記データ線
と前記デジタル-アナログ変換回路とは同一基体上に形成されていることを特徴としてい
る。
【００２９】
また、本発明の第１１の電気光学装置は、上記の電気光学装置において、前記データ線
と前記トランジスタとは同一基体上に形成されていることを特徴としている。
【００３０】
また、本発明の第１２の電気光学装置は、上記の電気光学装置において、前記デジタル
-アナログ変換回路と前記トランジスタとは同一基体上に形成されていることを特徴とし
ている。
【００３１】
上記の電気光学装置において「基体」の例としては、ガラス基板、石英基板、またはシ
リコン基板などを挙げることができる。
また、本発明の第１３の電気光学装置は、上記の電気光学装置において、前記トランジ
スタと前記単位回路に含まれるトランジスタと、は薄膜トランジスタで構成されているこ
とを特徴としている。
【００３２】
上記の本発明の第１３の電気光学装置においては前記単位回路に含まれるトランジスタ
が薄膜トランジスタである場合は、ガラス基板など基体上に、前記トランジスタと、前記
単位回路に含まれるトランジスタが薄膜トランジスタと、を一体形成することができる。
【００３３】
また、本発明の第１４の電気光学装置は、上記の電気光学装置において、前記トランジ
スタは、シリコンベースのＭＯＳトランジスタで構成されていることを特徴としている。
薄膜トランジスタに比べて、シリコンベースのＭＯＳトランジスタは、そのトランジスタ
特性の制御が容易であり、トランジスタ特性のバラツキを低減することができる。前記ト
ランジスタがシリコンベースのＭＯＳトランジスタであり、前記単位回路が薄膜トランジ
スタにより構成されている場合は、外付のデータ線ＩＣドライバ内に配置することが可能
であるが、前記トランジスタをウェハ上で作製し、前記トランジスタを前記単位回路を載
置する基体上に再配置することも可能である。
【００３４】
なお、駆動トランジスタは電気光学素子に電気的に接続されていればよく、例えばこれ
らの間に他のトランジスタが接続されていてもよい。
また、本発明の第１５の電気光学装置は、上記の電気光学装置において、前記電気光学
素子に供給される電流量を設定するための、前記データ線を流れる電流量は、前記電気光
学素子に供給される電流量以上であることを特徴とする。電気光学素子に供給するための
電流量が低い場合、それに対応する電流をデータ線に出力して前記トランジスタのゲート
電圧を設定するのに時間を要するが、電気光学素子に供給する電流量以上の電流量をデー
タ線に流すことにより、前記トランジスタのゲート電圧を設定する時間を速くすることが
できる。
【００３５】
また、本発明の第１６の電気光学装置は、上記の電気光学装置において、前記電気光学
素子に供給される電流量を設定するための、前記データ線を流れる電流量は、前記電気光
学素子に供給される電流量以下であることを特徴とする。
【００３６】
前記電気光学素子に供給される電流量を設定するために、前記データ線に出力する電流
量を、前記電気光学素子に供給される電流量以下にすることにより消費電力を低減するこ
とができる。
【００３７】
本発明の第１７の電気光学装置は、データ線と、前記データ線と接続され、当該データ
線に流れるデータ信号の電流量によりゲート電圧が設定される変換トランジスタと、電気
光学素子と、当該電気光学素子と電気的に接続され且つその導電型がｐ型である駆動トラ
ンジスタと、を有する単位回路とを備えたことを特徴としている。
【００３８】
本発明の第１７の電気光学装置では、新たな電源追加を伴わずに変換トランジスタ及び
駆動トランジスタを十分にオンすることが可能となる。
また、本発明の第１８の電気光学装置は、走査線をさらに備え、前記各単位回路のそれ
ぞれは、ゲート電極が前記走査線に接続されたスイッチングトランジスタを有し、前記デ
ータ線を介してデータ信号が前記複数の単位回路に供給されることを特徴としている。
【００３９】
また、本発明の第１９の電気光学装置は、上記の電気光学装置において、前記スイッチ
ングトランジスタのソース端又はドレイン端は、前記駆動トランジスタのゲート電極に接
続されていることを特徴としている。
【００４０】
また、本発明の第２０の電気光学装置は、上記の電気光学装置において、前記データ信
号は、デジタル−アナログ変換回路で生成されたアナログ量を有する電流であることを特
徴としている。
【００４１】
また、本発明の第２１の電気光学装置は、上記の電気光学装置において、前記変換トラ
ンジスタと前記駆動トランジスタとは、カレントミラーを構成することを特徴としている
。
【００４２】
また、本発明の第２２の電気光学装置は、上記の電気光学装置において、前記変換トラ
ンジスタは、前記デジタル−アナログ変換回路と前記データ線との間に配置されているこ
とを特徴としている。
【００４３】
また、本発明の第２３の電気光学装置は、上記の電気光学装置において、前記デジタル
-アナログ変換回路と前記変換トランジスタとの間に前記データ線が配置されていること
を特徴としている。
【００４４】
また、本発明の第２４の電気光学装置は、上記の電気光学装置において、前記変換トラ
ンジスタと前記デジタル-アナログ変換回路と前記データ線とは同一基体上に形成されて
いることを特徴としている。
【００４５】
また、本発明の第２５の電気光学装置は、上記の電気光学装置において、前記データ線
と前記デジタル-アナログ変換回路とは同一基体上に形成されていることを特徴としてい
る。
【００４６】
また、本発明の第２６の電気光学装置は、上記の電気光学装置において、前記データ線
と前記変換トランジスタとは同一基体上に形成されていることを特徴としている。
【００４７】
また、本発明の第２７の電気光学装置は、上記の電気光学装置において、前記デジタル
-アナログ変換回路と前記変換トランジスタとは同一基体上に形成されていることを特徴
としている。
【００４８】
上記の電気光学装置において、「基体」の例としては、ガラス基板、石英基板、または
シリコン基板などを挙げることができる。
また、本発明の第２８の電気光学装置は、上記の電気光学装置において、前記変換トラ
ンジスタと、前記単位回路に含まれる前記スイッチングトランジスタ及び前記駆動トラン
ジスタとは、薄膜トランジスタで構成されていることを特徴としている。
【００４９】
また、本発明の第２９の電気光学装置は、上記の電気光学装置において、前記変換トラ
ンジスタは、シリコンベースのＭＯＳトランジスタで構成されていることを特徴としてい
る。薄膜トランジスタに比べて、シリコンベースのＭＯＳトランジスタは、そのトランジ
スタ特性の制御が容易であり、トランジスタ特性のバラツキを低減することができる。前
記変換トランジスタがシリコンベースのＭＯＳトランジスタであり、前記単位回路が薄膜
トランジスタにより構成されている場合は、外付のデータ線ＩＣドライバ内に配置するこ
とが可能であるが、前記変換トランジスタをウェハ上で作製し、前記変換トランジスタを
前記単位回路を載置する基体上に再配置することも可能である。
【００５０】
なお、駆動トランジスタは電気光学素子に電気的に接続されていればよく、例えばこれ
らの間に他のトランジスタが接続されていてもよい。
本発明の第３０の電気光学装置は、データ線と、前記データ線と接続され、当該データ
線に流れるデータ信号の電流量によりゲート電圧が設定される変換トランジスタと、前記
変換トランジスタとカレントミラー回路を構成し、前記データ線に流れるデータ信号の電
流量により大きな電流量を生成するようにその利得係数が設定された駆動トランジスタと
、前記駆動トランジスタと電気的に接続された電気光学素子と、を有する単位回路とを備
えたことを特徴としている。
【００５１】
本発明の第３０の電気光学装置では、電気光学素子に供給するための電流量が低い場合
、それに対応する電流をデータ線に出力して前記変換トランジスタのゲート電圧を設定す
るのに時間を要するが、電気光学素子に供給する電流量以上の電流量をデータ線に流すこ
とにより、前記変換トランジスタのゲート電圧を設定する時間を速くすることができる。
【００５２】
本発明の第３１の電気光学装置は、データ線と、前記データ線と接続され、当該データ
線に流れるデータ信号の電流量によりゲート電圧が設定される変換トランジスタと、前記
変換トランジスタとカレントミラー回路を構成し、前記データ線に流れるデータ信号の電
流量により小さな電流量を生成するようにその利得係数が設定された駆動トランジスタと
、前記駆動トランジスタと電気的に接続された電気光学素子と、を有する単位回路とを備
えたことを特徴としている。
【００５３】
本発明の第３１の電気光学装置では、前記電気光学素子に供給される電流量を設定する
ために、前記データ線に出力する電流量を、前記電気光学素子に供給される電流量以下に
することにより消費電力を低減することができる。
【００５４】
本発明の第３２の電気光学装置は、上記の電気光学装置において、走査線をさらに備え
、前記複数の単位回路のそれぞれは、ゲート電極が前記走査線に接続されたスイッチング
トランジスタを有し、前記データ線を介してデータ信号が前記複数の単位回路に供給され
ることを特徴としている。
【００５５】
本発明の第３３の電気光学装置は、上記の電気光学装置において、前記スイッチングト
ランジスタのソース端又はドレイン端は、前記駆動トランジスタのゲート電極に接続され
ていることを特徴としている。
【００５６】
また、本発明の第３４の電気光学装置は、上記の電気光学装置において、前記データ信
号は、デジタル−アナログ変換回路で生成されたアナログ量を有する電流であることを特
徴としている。
【００５７】
また、本発明の第３５の電気光学装置は、上記の電気光学装置において、前記変換トラ
ンジスタと前記駆動トランジスタとは、カレントミラーを構成することを特徴としている
。
【００５８】
また、本発明の第３６の電気光学装置は、上記の電気光学装置において、前記変換トラ
ンジスタは、前記デジタル−アナログ変換回路と前記データ線との間に配置されているこ
とを特徴としている。
【００５９】
また、本発明の第３７の電気光学装置は、上記の電気光学装置において、前記デジタル
-アナログ変換回路と前記変換トランジスタとの間に前記データ線が配置されていること
を特徴としている。
【００６０】
また、本発明の第３８の電気光学装置は、上記の電気光学装置において、前記変換トラ
ンジスタと前記デジタル-アナログ変換回路と前記データ線とは同一基体上に形成されて
いる。
【００６１】
また、本発明の第３９の電気光学装置は、上記の電気光学装置において、前記データ線
と前記デジタル-アナログ変換回路とは同一基体上に形成されていることを特徴としてい
る。
【００６２】
また、本発明の第４０の電気光学装置は、上記の電気光学装置において、前記データ線
と前記変換トランジスタとは同一基体上に形成されていることを特徴としている。
【００６３】
また、本発明の第４１の電気光学装置は、上記の電気光学装置において、前記デジタル
-アナログ変換回路と前記変換トランジスタとは同一基体上に形成されていることを特徴
としている。
【００６４】
また、本発明の第４２の電気光学装置は、上記の電気光学装置において、前記変換トラ
ンジスタと、前記単位回路に含まれる前記スイッチングトランジスタ及び前記駆動トラン
ジスタとは、薄膜トランジスタで構成されていることを特徴としている。
【００６５】
また、本発明の第４３の電気光学装置は、上記の電気光学装置において、前記変換トラ
ンジスタは、シリコンベースのＭＯＳトランジスタで構成されていることを特徴としてい
る。
【００６６】
本発明の第４４の電気光学装置は、データ信号を供給する複数のデータ線と、前記デー
タ信号の電流量に対してその駆動レンジが異なる電気光学素子をそれぞれ備えた複数の単
位回路とを備えた電気光学装置において、前記データ線に接続され、前記電気光学素子の
駆動レンジに応じた利得係数を有する変換トランジスタと、前記単位回路に設けられ、前
記変換トランジスタとカレントミラーを構成する駆動トランジスタとを備えていることを
特徴としている。電気光学装置の回路構成を、駆動レンジが異なる電気光学素子の特性に
合わせて形成をする必要はなく、全て同じ特性の回路で構成することができる。
【００６７】
また、本発明の第４５の電気光学装置は、上記の電気光学装置において、前記電気光学
素子は、それぞれ、赤、緑及び青色を発光する有機材料で形成された発光層を有する有機
エレクトロルミネッセンス素子であることを特徴としている。
【００６８】
また、本発明の第４６の電気光学装置は、上記の電気光学装置において、走査線をさら
に備え、前記複数の単位回路のそれぞれは、ゲート電極が前記走査線に接続されていたス
イッチングトランジスタを有することを特徴としている。
【００６９】
また、本発明の第４７の電気光学装置は、上記の電気光学装置において、前記データ信
号は、デジタル−アナログ変換回路で生成されたアナログ量を有する電流であることを特
徴としている。
【００７０】
本発明の第４８の電気光学装置は、上記の電気光学装置において、前記変換トランジス
タは、前記デジタル−アナログ変換回路と前記データ線との間に配置されていることを特
徴としている。
【００７１】
本発明の第４９の電気光学装置は、上記の電気光学装置において、前記デジタル-アナ
ログ変換回路と前記変換トランジスタとの間に前記データ線が配置されていることを特徴
としている。
【００７２】
本発明の第５０の電気光学装置は、上記の電気光学装置において、前記変換トランジス
タと前記デジタル-アナログ変換回路と前記データ線とは同一基体上に形成されているこ
とを特徴としている。
【００７３】
本発明の第５１の電気光学装置は、上記の電気光学装置において、前記データ線と前記
デジタル-アナログ変換回路とは同一基体上に形成されていることを特徴としている。
【００７４】
本発明の第５２の電気光学装置は、上記の電気光学装置において、前記データ線と前記
変換トランジスタとは同一基体上に形成されていることを特徴としている。
【００７５】
本発明の第５３の電気光学装置は、上記の電気光学装置において、前記デジタル-アナ
ログ変換回路と前記変換トランジスタとは同一基体上に形成されていることを特徴として
いる。
【００７６】
本発明の第５４の電気光学装置は、上記の電気光学装置において、前記変換トランジス
タと、前記単位回路に含まれる前記スイッチングトランジスタ及び前記駆動トランジスタ
とは、薄膜トランジスタで構成されていることを特徴としている。
【００７７】
本発明の第５５の電気光学装置は、上記の電気光学装置において、前記変換トランジス
タは、シリコンベースのＭＯＳトランジスタで構成されていることを特徴としている。
【００７８】
また、本発明の第５６の電気光学装置は、上記の電気光学装置において、前記電気光学
素子は有機エレクトロルミネッセンス素子であることを特徴としている。
【００７９】
さらに、本発明の電子機器は、上記の電気光学装置を、表示部として利用したことを特
徴としている。
【発明を実施するための最良の形態】
【００８０】
以下、本発明の実施の形態を図面に基づいて説明する。
まず、第１の実施の形態を説明する。
【００８１】
図１は、第１の実施の形態における電気光学装置を適用した表示装置の概略構成を示す
ブロック図である。この表示装置は、ディスプレイに表示するデータや、表示に関するデ
ータを生成するコントローラ１を有し、このコントローラ１は、表示パネル２に含まれる
トランジスタのゲート電極に接続された走査線を駆動する走査ドライバ３と、表示パネル
２に含まれるトランジスタのソースまたはドレインに接続されたデータ線を駆動するデー
タドライバ４と、を制御する。
【００８２】
コントローラ１は、また、走査線とデータ線との駆動タイミングのタイミング制御を行
う。
表示パネル２は、図２に示すように、走査ドライバ３によって駆動される複数の走査線
Ｙｎと、データドライバ４によって駆動される複数のデータ線Ｘｍが直交して配線され、
これらの交点に対応して、画素回路１０が設けられている。
【００８３】
図２に示すように、各データ線Ｘｍを駆動するドライバ４ａとは逆側の端部に電源Ｖｘ
が配置され、電源Ｖｘとデータ線Ｘｍとの間に変換トランジスタ１２が接続されている。
変換トランジスタ１２はダイオード接続されたｐ型トランジスタである。変換トランジス
タ１２のゲート電圧はドライバ４ａを介してデータ信号に応じてデータ線Ｘｍに出力され
た電流量に基づいて設定される。
【００８４】
そして、前記画素回路１０は、図３に示すように、電気光学素子としての有機エレクト
ロルミネッセンス素子１４と、有機エレクトロルミネッセンス素子１４を駆動するための
駆動用トランジスタＴｒ１と、前記駆動用トランジスタＴｒ１を駆動するための制御用ト
ランジスタＴｒ２と、データ線Ｘｍのデータを保持するための容量素子Ｃとから構成され
ている。
【００８５】
本実施形態では、前記各トランジスタＴｒ１及びＴｒ２、及び変換トランジスタ１２は
、ＴＦＴ（薄膜トランジスタ：Ｔｈｉｎ  Ｆｉｌｍ  Ｔｒａｎｓｉｓｔｏｒ）であり、こ
れら各画素回路１０、データ線Ｘｍ、走査線Ｙｎ及び変換トランジスタ１２は、絶縁基板
上に一体に形成されている。
【００８６】
また、駆動用トランジスタＴｒ１は、例えばｐチャネル型トランジスタであり、駆動用
トランジスタＴｒ１の一端は電源Ｖｄｄが接続され、他端は有機エレクトロルミネッセン
ス素子１４が接続され、有機エレクトロルミネッセンス素子１４の他端は接地電位Ｖｓｓ
に接続されている。さらに、この駆動用トランジスタＴｒ１は、変換トランジスタ１２と
駆動用トランジスタＴｒ１とはカレントミラーを構成している。
【００８７】
一方、制御用トランジスタＴｒ２は、例えばｎチャネル型トランジスタで構成され、そ
の一端はデータ線Ｘｍに接続され、他端は駆動用トランジスタＴｒ１のゲート電極及び容
量素子Ｃに接続されている。また、制御用トランジスタＴｒ２のゲート電極は、走査線Ｙ
ｎと接続されている。
【００８８】
容量素子Ｃの一端は電源Ｖｃに接続されている。この電源Ｖｃは、例えば，駆動電源Ｖ
ｄｄの電位、或いは接地電位Ｖｓｓ或いは任意の電位に設定される。
このような構成にすることによって、走査線駆動信号によって制御用トランジスタＴｒ
２が導通状態となったとき、データ線Ｘｍの電位に応じた電荷が容量素子Ｃに蓄えられ、
この電荷によって駆動用トランジスタＴｒ１が導通状態となり、容量素子Ｃに蓄えられた
電荷量に応じた電流量が有機エレクトロルミネッセンス素子１４に供給される。
【００８９】
本実施形態のデータ線Ｘｍ、画素回路１０、変換トランジスタ１２、駆動用トランジス
タＴｒ１、制御用トランジスタＴｒ２、電源Ｖｘ、及び電源Ｖｄｄは、それぞれ特許請求
の範囲における通電線及びデータ線、単位回路、トランジスタまたは第１のトランジスタ
、第２のトランジスタまたは駆動トランジスタ、スイッチングトランジスタ、第１の電源
、及び第２の電源に対応している。なお、特許請求の範囲におけるデジタル−アナログ変
換回路はデータドライバ４に含まれている。
【００９０】
変換トランジスタ１２と駆動用トランジスタＴｒ１との特性比または電源Ｖｄｄの電位
などを任意に設定することによって、データ線Ｘｍに出力される電流量を制御することが
できる。すなわち、Ｖｄｄ＝Ｖｘとした場合、変換トランジスタ１２の利得係数を駆動用
トランジスタＴｒ１の利得係数より高く設定すれば、データ線Ｘｍに出力する電流量を高
くすることができるため、容量素子Ｃに高速で電荷を蓄積することができる。一方、変換
トランジスタ１２の利得係数を駆動用トランジスタＴｒ１の利得係数より低く設定すれば
、データ線Ｘｍに出力する電流量を低くすることができるため、消費電力を低減すること
ができる。
【００９１】
例えば、駆動用トランジスタＴｒ１の変換トランジスタ１２に対する特性比が画素領域
２で均一であれば、データ線Ｘｍに出力される電流量に対して所定の電流量が有機エレク
トロルミネッセンス素子１４に供給されることになる。その結果、面内輝度を均一に制御
することができ、表示品位を向上させることができる。
【００９２】
また、変換トランジスタ１２は同一データ線に接続される各画素回路１０に対して共通
であり、各画素回路１０の駆動用トランジスタＴｒ１と共通の変換トランジスタ１２とが
カレントミラー回路をなしているので、各画素回路１０毎に変換トランジスタ１２を設け
る必要がなく、画素回路１０を構成する素子数を削減することができる。
【００９３】
なお、上記第１の実施の形態においては、画素回路１０において制御用トランジスタＴ
ｒ２を、その導電型がｎ型であるｎチャネル型トランジスタで構成した場合について説明
したが、これに限らず、その導電型がｐ型であるｐチャネル型トランジスタで構成しても
よいことはいうまでもない。
【００９４】
また、上記第１の実施の形態において、変換トランジスタ１２及び駆動用トランジスタ
Ｔｒ１をそれぞれ、ｐチャネル型トランジスタで構成した。ここで、変換トランジスタ１
２及び駆動用トランジスタＴｒ１のソースはそれぞれ電源Ｖｘ、電源Ｖｄｄに接続されて
いる。変換トランジスタ１２及び駆動用トランジスタＴｒ１のしきい値電圧が等しくＶｔ
ｈであるとき、電源Ｖｘ、電源Ｖｄｄの電圧値がＶｔｈ以上であれば変換トランジスタ１
２及び駆動用トランジスタＴｒ１を十分にオンさせるためには、両トランジスタのドレイ
ンがとりうる電圧値以下にゲート電圧を設定すれば良いことになる。両トランジスタのド
レインがとりうる電圧値とはすなわち接地電位Ｖｓｓであるので、両トランジスタのゲー
ト電圧にＶｓｓ相当の電圧値を印可すれば、十分なオン状態が得られることになる。仮に
変換トランジスタ１２及び駆動用トランジスタＴｒ１をｎチャネル型トランジスタで構成
した場合には、両トランジスタを十分にオンするためにはゲート電圧としてＶｘ＋Ｖｔｈ
及びＶｄｄ＋Ｖｔｈを印可する必要がある。このことは新たな電源の追加を意味し、表示
装置のコスト増をまねく。
【００９５】
また、上記第１の実施の形態において、走査ドライバ３及びデータドライバ４は、薄膜
トランジスタ或いはシリコンベースもＭＯＳトランジスタの何れで構成されていても良い
。走査ドライバ３及びデータドライバ４が、薄膜トランジスタである場合、これらのドラ
イバをガラス基板などの絶縁基板上に一体に形成することができる。走査ドライバ３及び
データドライバ４が、シリコンベースＭＯＳトランジスタで構成されている場合は、通常
、これらのトランジスタは外付のＩＣドライバとなるが、絶縁基板上にこれらのドライバ
を再配置することも可能である。
【００９６】
次に、本発明の第２の実施の形態を説明する。
この第２の実施の形態は、上記第１の実施の形態において、画素領域２の構成が異なる
以外は、上記第１の実施の形態と同様であるので、同一部には同一符号を付与しその詳細
な説明は省略する。
【００９７】
図４に示すように、変換トランジスタ１２が各データ線Ｘｍのデータドライバ４側に配
置されている。
そして、変換トランジスタ１２は上記第１の実施の形態と同様にダイオード接続され、
そのゲート電極とドレイン電極とがデータ線Ｘｍに接続され、ソース電極は電源ＶＤに接
続されている。
【００９８】
データドライバ４により各データ線Ｘｍに出力された電流量に基づいて変換トランジス
タ１２のゲート電圧が設定される。このゲート電圧に基づいて有機エレクトロルミネッセ
ンス素子１４に供給される電流量が決定される。第２の実施の形態の場合も上記第１の実
施の形態と同様の作用効果を得ることができる。
【００９９】
なお、データドライバ４は薄膜トランジスタで構成しても良いが、シリコンベースのＭ
ＯＳトランジスタで構成しても良い。変換トランジスタ１２は薄膜トランジスタであって
も良いし、シリコンベースのＭＯＳトランジスタであっても良い。変換トランジスタ１２
がシリコンベースのＭＯＳトランジスタである場合は、変換トランジスタ１２とデータド
ライバ４とをＩＣドライバとして一体化することも可能である。変換トランジスタ１２が
シリコンベースのＭＯＳトランジスタである場合は、変換トランジスタ１２毎のトランジ
スタ特性を均一化することもできるので、有機エレクトロルミネッセンス素子１４に供給
する電流量をより精密に制御することが可能である。
【０１００】
次に第３の実施の形態を説明する。
この第３の実施の形態は、上記第１の実施の形態において、画素領域２の構成が異なる
以外は上記第１の実施の形態と同様であるので、同一部には同一符号を付与しその詳細な
説明は省略する。
【０１０１】
この第３の実施の形態における画素領域２Ｂは、図５に示すように、電源Ｖｘ側にデー
タドライバ４が設けられ、データ線Ｘｍのデータドライバ４と逆側の端部に、変換トラン
ジスタ１２が配置されている。この変換トランジスタ１２は、ｎチャネル型トランジスタ
である。
【０１０２】
そして、第３の実施の形態における画素回路１０Ａは、図６に示すように構成されてい
る。すなわち、第３の実施の形態における駆動用トランジスタＴｒ１Ａは、ｎチャネル型
トランジスタで構成され、電源Ｖｄｄと駆動用トランジスタＴｒ１Ａとの間に、有機エレ
クトロルミネッセンス素子１４が配置されている。そして、駆動用トランジスタＴｒ１Ａ
のゲート電極と、制御用トランジスタＴｒ２の一端とが接続されている。
【０１０３】
なお、この場合も、電源Ｖｃは、電源Ｖｄｄの電位、或いは接地電位Ｖｓｓ或いは任意
の電位に設定されている。
そして、データドライバ４を介して各データ線Ｘｍに出力された、データ信号に応じた
電流量に基づいて、変換トランジスタ１２のゲート電圧が設定される。そして、このゲー
ト電圧に対応した電荷量が容量素子Ｃに蓄積される。この電荷量に基づいて駆動用トラン
ジスタＴｒ１Ａが導通状態となり、有機エレクトロルミネッセンス素子１４に電流が供給
される。
【０１０４】
したがって、この場合も上記第１の実施の形態と同様な作用効果を得ることができる。
なお、この場合も、上記第１の実施の形態と同様に、走査ドライバ３及びデータドライ
バ４は、薄膜トランジスタで構成されていても良いし、シリコンベースのＭＯＳトランジ
スタで構成されていても良い。
【０１０５】
また、画素回路１０Ａを構成する制御用トランジスタＴｒ２は、ｎチャネル型及びｐチ
ャネル型の何れのトランジスタを用いてもよい。
次に、第４の実施の形態を説明する。
【０１０６】
この第４の実施の形態は、上記第３の実施の形態において、画素領域２の構成が異なる
以外は、上記第３の実施の形態と同様であるので、同一部には同一符号を付与し、その詳
細な説明は省略する。
【０１０７】
すなわち、この第４の実施の形態における画素領域２Ｃは、図７に示すように、データ
線Ｘｍ及び走査線Ｙｎの交点に対応して画素回路１０Ａが設けられ、変換トランジスタ１
２は、各データ線Ｘｍのデータドライバ４側に設けられ、データドライバ４と隣接して配
置されている。
【０１０８】
そして、変換トランジスタ１２は上記第３の実施の形態と同様にダイオード接続されて
いる。
走査ドライバ３において走査線Ｙ１を駆動し、データドライバ４によりデータ線Ｘｍに
出力された、データ信号に対応した電流量に基づいて変換トランジスタ１２のゲート電圧
が設定され、このゲート電圧に対応した電荷量が容量素子に蓄積される。この蓄積された
電荷量に基づいて、駆動用トランジスタＴｒ１Ａが導通状態となり、有機エレクトロルミ
ネッセンス素子１４に電流が供給される。
【０１０９】
なお、この場合も、データドライバ４は薄膜トランジスタにより構成されていても良い
し、また、シリコンベースのＭＯＳトランジスタにより構成されても良いが、シリコンベ
ースのＭＯＳトランジスタの方がより高い精度で電流量を制御するには適している場合が
ある。
【０１１０】
次に第５の実施の形態を説明する。
この第５の実施の形態は、上記第２の実施の形態において、データ線Ｘｍに出力される
電流量と、画素回路１０の有機エレクトロルミネッセンス素子１４に供給する電流量の比
を変化させるようにしたものである。
【０１１１】
画素領域２Ａとデータドライバ４との間に電流電圧変換回路５が介挿されている。この
電流電圧変換回路５は、図８に示すように、データ線Ｘｍにドレイン端、ソース端に駆動
電源ＶＤが接続された変換トランジスタ１２と、データ線Ｘｍとドレイン端との接続点と
、ドライバ４ａとの間に介挿された抵抗１３と、から構成され、抵抗１３とドライバ４ａ
との間の電位が変換トランジスタ１２のゲート電極に接続されている。
【０１１２】
ここで、例えば、駆動電源ＶＤ＝駆動電源Ｖｄｄであるとすると、各画素回路１０及び
電流電圧変換回路５は、図９のように表すことができる。
前記変換トランジスタ１２のしきい値電圧と駆動用トランジスタＴｒ１のしきい値電圧
とが等しく、各トランジスタがそれぞれ飽和領域で動作しているとき、これらの間には次
式（１）〜（３）が成り立つ。
【０１１３】
なお、式中の、Ｉｄａｔａはドライバ４ａの出力電流量、βはトランジスタの電流供給
能力を示す係数（利得係数）、ＶＧ１は抵抗１３とドライバ４ａとの間の電位、ＶＴＨは
変換トランジスタ１２及び駆動用トランジスタＴｒ１のしきい値電圧、ＩＯＥＬは有機エ
レクトロルミネッセンス素子１４に供給される電流値、ｋはＩｄａｔａとＩＯＥＬとの電
流比を表す定数、ＶＧ２は変換トランジスタ１２と抵抗１３との間の電位、Ｒは抵抗１３
の抵抗値である。
【０１１４】
Ｉｄａｔａ＝（１／２）・β・（Ｖｄｄ−ＶＧ１−ＶＴＨ）２・・・（１）
ＩＯＥＬ＝（１／２）・ｋβ・（Ｖｄｄ−ＶＧ２−ＶＴＨ）２・・・（２）
ＶＧ２−ＶＧ１＝Ｒ・Ｉｄａｔａ・・・（３）
これら（１）〜（３）式から、次式（４）を得ることができる。
【０１１５】
【数１】
2007233399.tif 000003
したがって、（４）式から、ＩｄａｔａとＩＯＥＬとの関係を、図１０の特性図ように
設定することができるので、図１０において、例えば、１／（２Ｒ２・β）≦Ｉｄａｔａ
≦２／（Ｒ２・β）の範囲を用いるようにすれば、Ｉｄａｔａの変化とＩＯＥＬの変化と
を逆向きに設定することができる。
【０１１６】
なお、この場合も、走査ドライバ３、データドライバ４及び電流電圧変換回路５を薄膜
トランジスタまたはシリコンベースのＭＯＳトランジスタの何れで構成されていてもよく
、また、データドライバ４と電流電圧変換回路５とを一体に形成するようにしてもよい。
【０１１７】
次に、本発明の第６の実施の形態を説明する。
この第６の実施の形態は、図１１に示すように、電源Ｖｘと画素領域２Ｃとの間に、デ
ータドライバ４及び電流電圧変換回路５Ａが介挿されている。
【０１１８】
前記画素領域２Ｃは、データ線Ｘｍ及び走査線Ｙｎの交点に対応して画素回路１０Ａが
配置されて構成されている。
前記電流電圧変換回路５Ａは、図１１に示すように、ｎチャネル型の変換トランジスタ
１２と抵抗１３とから構成され、変換トランジスタ１２のソース端は電源Ｖｓに接続され
、ドレイン端はデータ線Ｘｍに接続されている。そして、データ線Ｘｍとドレイン端との
接続点と、ドライバ４ａとの間に変換トランジスタ１２のゲート電極が接続されている。
さらに、データ線Ｘｍのゲート電極の接続点とドレイン電極の接続点との間に抵抗１３が
介挿されている。
【０１１９】
したがって、この場合も、上記第５の実施の形態と同様の動作となり、第５の実施の同
様の作用効果を得ることができる。
次に、本発明の第７の実施の形態を説明する。
【０１２０】
この第７の実施の形態は、図１２に示すように、画素領域２Ａとデータドライバ４との
間に電流電圧変換回路５Ｂが介挿されている。
前記画素領域２Ａは、データ線Ｘｍ及び走査線Ｙｎの交点に対応して配置された画素回
路１０により構成されている。
【０１２１】
電流電圧変換回路５Ｂは、図１２に示すように、ｐチャネル型の変換トランジスタ１２
と、抵抗１３とから構成され、変換トランジスタ１２のソース端とデータ線Ｘｍとが接続
され、そのドレイン電極と駆動電源ＶＤとの間に抵抗１３が介挿されている。そして、デ
ータ線Ｘｍのソース端の接続点と、ドライバ４ａとの間に変換トランジスタ１２のゲート
電極が接続されている。
【０１２２】
ここで、例えば、電源ＶＤ＝電源Ｖｄｄであるとすると、各画素回路１０及び電流電圧
変換回路５は、図１３のように表すことができる。
そして、前記変換トランジスタ１２のしきい値電圧と駆動用トランジスタＴｒ１のしき
い値電圧とが等しく、各トランジスタがそれぞれ飽和領域で動作しているとき、これらの
間には次式（５）〜（７）が成り立つ。
【０１２３】
なお、式中の、Ｉｄａｔａはドライバ４ａの出力電流量、βはトランジスタの電流供給
能力を示す係数（利得係数）、ＶＳ１は抵抗１３とドライバ４ａとの間の電位、ＶＴＨは
変換トランジスタ１２及び駆動用トランジスタＴｒ１のしきい値電圧、ＩＯＥＬは有機エ
レクトロルミネッセンス素子１４に供給される電流値、ｋはＩｄａｔａとＩＯＥＬとの電
流比を表す定数、Ｒは抵抗１３の抵抗値である。
【０１２４】
Ｉｄａｔａ＝（１／２）・β・（ＶＳ１−ＶＧ−ＶＴＨ）２・・・（５）
ＩＯＥＬ＝（１／２）・ｋβ・（Ｖｄｄ−ＶＧ−ＶＴＨ）２・・・（６）
Ｖｄｄ−ＶＳ１＝Ｒ・Ｉｄａｔａ・・・（７）
これら（５）〜（７）式から、次式（８）を得ることができる。
【０１２５】
【数２】
2007233399.tif 000004
したがって（８）式から、ＩｄａｔａとＩＯＥＬとの関係は、図１４の特性図のように
表すことができる。よって、ΔＩｄａｔａとΔＩＯＥＬとの間に、非線形関係をもたせる
ことができ、出力電流量Ｉｄａｔａの変化に対してΔＩＯＥＬをより大きく変化させるこ
とができる。
【０１２６】
次に、本発明の第８の実施の形態を説明する。
この第８の実施の形態は、図１５に示すように、データドライバ４と画素領域２Ｃとの
間に、電流電圧変換回路５Ｃが介挿されている。
【０１２７】
前記画素領域２Ｃは、データ線Ｘｍと走査線Ｙｎとの交点に対応して配置された画素回
路１０Ａにより構成されている。
電流電圧変換回路５Ｃは、図１５に示すように、ｎチャネル型の変換トランジスタ１２
と抵抗１３とから構成され、変換トランジスタ１２のドレイン端は、データ線Ｘｍに接続
され、そのソースと電源Ｖｓとの間に抵抗１３が介挿されている。また、データ線Ｘｍの
変換トランジスタ１２のドレイン端との接続点と、ドライバ４ａとの間に変換トランジス
タ１２のゲート電極が接続されている。
【０１２８】
したがって、この場合も、上記第７の実施の形態と同様であって、ドライバ４ａの出力
電流量に対し、画素回路１０Ａの駆動用トランジスタＴｒ１Ａを流れる電流量は大きくな
るから、第７の実施の形態と同様な作用効果を得ることができる。
【０１２９】
なお、前記第５乃至第８の実施の形態において、電流電圧変換回路５は、薄膜トランジ
スタにより構成されても良く、また、シリコンベースのＭＯＳトランジスタにより構成さ
れていても良い。また、データドライバ４と電流電圧変換回路５とを一体に形成するよう
にしても良い。
【０１３０】
次に、本発明の第９の実施の形態を説明する。
この第９の実施の形態は、本発明に係る電気光学装置をフルカラーのディスプレイに適
用した場合である。尚、この第９の実施の形態では、上記第１の実施の形態において、画
素領域２の構成が異なる以外は上記第１の実施の形態と同様であるので、同一部または同
一符号を付し、その詳細な説明は省略する。
【０１３１】
図１６は、第９の実施の形態における表示装置の要部の概略構成を示すブロック図であ
る。図１６に示すように、画素領域２Ｄは、走査線Ｙｎに沿って、赤色、緑色及び青色の
光を発光する有機材料で構成された発光層を有する各色用有機エレクトロルミネッセンス
素子１４Ｒ，１４Ｇ，１４Ｂを有する赤、緑色及び青色用画素回路１０Ｒ，１０Ｇ，１０
Ｂが、順次繰り返されて設けられている。また、前記画素領域２Ｄは、各データ線Ｘｍに
沿って同色の画素回路１０Ｒ，１０Ｇ，１０Ｂがそれぞれ設けられている。つまり、赤色
用画素回路１０Ｒは、データ線Ｘ１，Ｘ４，Ｘ７，・・・と接続されている。緑色用画素
回路１０Ｇは、データ線Ｘ２，Ｘ５，Ｘ８，・・・と接続されている。青色用画素回路１
０Ｂは、青用データ線Ｘ３，Ｘ６，Ｘ９，・・・と接続されている。
【０１３２】
そして、赤色用画素回路１０Ｒと接続された前記データ線Ｘ１，Ｘ４，Ｘ７，・・・は
、赤色用変換トランジスタ１２Ｒと接続されている。赤色用変換トランジスタ１２Ｒは、
前記赤色用の有機エレクトロルミネッセンス素子１４Ｒが発光する駆動レンジとしての電
流レンジを生成するようにその利得係数が設定されている。赤色用変換トランジスタ１２
Ｒは、同赤色用変換トランジスタ１２Ｒを駆動させるための電圧を供給する赤色用電源Ｖ
ｘＲに接続されている。また、各赤色用画素回路１０Ｒと接続された前記データ線Ｘ１，
Ｘ４，Ｘ７，・・・は、前記赤色用電源ＶｘＲとは逆側の端部に配置された、同データ線
Ｘ１，Ｘ４，Ｘ７，・・・を駆動する赤色用ドライバ４ａＲにそれぞれ接続されている。
すなわち、赤色用ドライバ４ａＲと赤色用変換トランジスタ１２Ｒとの間に前記データ線
Ｘ１，Ｘ４，Ｘ７，・・・が配置されている。
【０１３３】
緑色用画素回路１０Ｇと接続された前記データ線Ｘ２，Ｘ５，Ｘ８，・・・は、緑色用
変換トランジスタ１２Ｇと接続されている。緑色用変換トランジスタ１２Ｇは、前記緑色
用の有機エレクトロルミネッセンス素子１４Ｇが発光する駆動レンジとしての電流レンジ
を生成するようにその利得係数が設定されている。緑色用変換トランジスタ１２Ｇは、同
緑色用変換トランジスタ１２Ｇを駆動させるための電圧を供給する緑色用電源ＶｘＧに接
続されている。また、各緑色用画素回路１０Ｇと接続された前記データ線Ｘ２，Ｘ５，Ｘ
８，・・・は、前記緑色用電源ＶｘＧとは逆側の端部に配置された、同前記データ線Ｘ２
，Ｘ５，Ｘ８，・・・を駆動する緑色用ドライバ４ａＧにそれぞれ接続されている。すな
わち、緑色用ドライバ４ａＧと緑色用変換トランジスタ１２Ｇとの間に前記データ線Ｘ２
，Ｘ５，Ｘ８，・・・が配置されている。
【０１３４】
青色用画素回路１０Ｂと接続された前記データ線Ｘ３，Ｘ６，Ｘ９，・・・は、青色用
変換トランジスタ１２Ｂと接続されている。青色用変換トランジスタ１２Ｂは、前記青色
用の有機エレクトロルミネッセンス素子１４Ｂが発光する駆動レンジとしての電流レンジ
を生成するようにその利得係数が設定されている。青色用変換トランジスタ１２Ｂは、同
青色用変換トランジスタ１２Ｂを駆動させるための電圧を供給する青色用電源ＶｘＢに接
続されている。また、各青色用画素回路１０Ｂと接続された前記データ線Ｘ３，Ｘ６，Ｘ
９，・・・は、前記青色用電源ＶｘＢとは逆側の端部に配置された、同前記データ線Ｘ３
，Ｘ６，Ｘ９，・・・を駆動する青色用ドライバ４ａＢにそれぞれ接続されている。すな
わち、青色用ドライバ４ａＢと青色用変換トランジスタ１２Ｂとの間に前記データ線Ｘ３
，Ｘ６，Ｘ９，・・・が配置されている。
【０１３５】
尚、前記赤、緑及び青色用変換トランジスタ１２Ｒ，１２Ｇ，１２Ｂは、それぞれ、ｐ
チャネル型トランジスタである。
そして、このように構成された画素領域２Ｄを有する電気光学装置においては、前記し
たように、各色用変換トランジスタ１２Ｒ，１２Ｇ，１２Ｂのそれぞれの利得係数を調整
することによって、各色用の有機エレクトロルミネッセンス素子１４Ｒ，１４Ｇ，１４Ｂ
を発光させる電流レンジを調整することができる。
【０１３６】
従って、各色用ドライバ４ａＲ，４ａＧ，４ａＢは、各色用の有機エレクトロルミネッ
センス素子１４Ｒ，１４Ｇ，１４Ｂの特性に合わせてそれぞれの特性の異なる回路形成を
する必要はなく、全て同じ特性の回路で構成することができる。ここで、図１５における
変換トランジスタ１２Ｒ，１２Ｇ，１２Ｂの配置場所については、本実施形態で示した場
所に限定されるものではなく、例えば、第２〜第８の実施の形態で示した配置を適用する
ことも可能である。
【０１３７】
なお、上記各実施の形態においては、走査ドライバ３及びデータドライバ４を薄膜トラ
ンジスタにより構成されていても良く、またシリコンベースのＭＯＳトランジスタにより
構成されていても良い。
【０１３８】
また、上記各実施の形態において、画素回路１０又は１０Ａをマトリクス状に配置した
表示装置に適用した場合について説明したが、どのような形状に配置した場合であっても
適用することができる。
【０１３９】
また、上記各実施の形態においては、有機エレクトロルミネッセンス素子を用いた場合
について説明したが、これに限るものではなく、例えば発光ダイオード（ＬＥＤ）、レー
ザーダイオード（ＬＤ）、ＦＥ（Ｆｉｅｌｄ  ｅｍｉｓｓｉｏｎ）素子等の電流駆動によ
り発光する素子を備えた電子装置に対しても、本発明に係る回路構成は適用することがで
きる。これ以外に磁気抵抗ＲＡＭ（Magnetoresistive RAM）などの非発光型の電流駆動素
子を備えた電子装置に対しても本発明に係る回路構成にも適用することができる。
【０１４０】
磁気抵抗ＲＡＭは、例えば、図１７に示すように、強磁性金属層からなる２つの電極２
１及び２２間に、絶縁体からなる障壁層２３が介挿されて構成されている。そして、前記
電極２１及び２２巻に、前記障壁層２３を介してトンネル電流を流したときに、このトン
ネル電流の大きさが上下の強磁性金属の磁化の向きによって変化することを利用して、記
憶を行うようにしたものである。つまり、一方の電極２２を基準層としてその磁化の向き
を固定し、他方の電極２１をデータ記録層とする。そして、書き込み電極２４に電流を流
し、これによって発生する磁界により、データ記録層としての電極２１の磁化の向きを変
えることによって情報の記録を行う。そして、記録情報の読み出しを行う場合には、書き
込み電極２４に逆方向の電流を流し、このときのトンネル抵抗の変化を電気的に読み出す
ことによって行っている。
【０１４１】
また、前記有機エレクトロルミネッセンス装置としては、例えば、モバイル型のパーソ
ナルコンピュータ、携帯電話、ディジタルスチルカメラ等に適用することができる。
【０１４２】
図１８は、モバイル型のパーソナルコンピュータの構成を示す斜視図である。
図１８において、パーソナルコンピュータ１００は、キーボード１０２を備えた本体部
１０４と、前述の電気光学装置が適用された有機エレクトロルミネッセンス装置からなる
表示ユニット１０６とから構成されている。
【０１４３】
図１９は、携帯電話の斜視図である。図１９において、携帯電話２００は、複数の操作
ボタン２０２の他、受話口２０４、送話口２０６と共に、前述の電気光学装置が適用され
た有機エレクトロルミネッセンス装置からなる表示パネル２０８を備えている。
【０１４４】
図２０は、ディジタルスチルカメラ３００の構成を示す斜視図である。なお、外部機器
との接続についても簡易的に示している。
通常のカメラは、被写体の光像によってフィルムを感光するのに対してディジタルスチ
ルカメラ３００は被写体の光像をＣＣＤ（Charge coupled device）等の撮像素子により
光電変換して撮像信号を生成するものである。ここで、ディジタルスチルカメラ３００に
おけるケース３０２の背面には、上述した電気光学装置が適用された有機エレクトロルミ
ネッセンス装置からなる表示パネル３０４が設けられ、ＣＣＤによる撮像信号に基づいて
、表示を行う構成となっている。このため、表示パネル３０４は、被写体を表示するファ
インダとして機能する。また、ケース３０２の観察側（図においては裏面側）には、光学
レンズやＣＣＤ等を含んだ受光ユニット３０６が設けられている。
【０１４５】
ここで、撮像者が表示パネル３０４に表示された被写体像を確認して、シャッタボタン
３０８を押下すると、その時点におけるＣＣＤの撮像信号が、回路基板３１０のメモリに
転送・格納される。また、このディジタルスチルカメラ３００にあっては、ケース３０２
の側面にビデオ信号出力端子３１２と、データ通信用の入出力端子３１４とが設けられて
いる。そして、図に示されるように、前者のビデオ信号出力端子３１２には、テレビモニ
タ４３０が、また、後者のデータ通信用の入出力端子３１４にはパーソナルコンピュータ
４４０が、それぞれ必要に応じて接続される。さらに、所定の操作によって、回路基板３
１０のメモリに格納された撮像信号が、テレビモニタ４３０や、パーソナルコンピュータ
４４０に出力される構成となっている。
【０１４６】
なお、電子機器としては、図１８のパーソナルコンピュータや、図１９の携帯電話、図
２０のディジタルスチルカメラの他にも、テレビ、ビューファインダ型及びモニタ直視型
のビデオテープレコーダ、カーナビゲーション装置、ページャ、電子手帳、電卓、ワード
プロセッサ、ワークステーション、テレビ電話、ＰＯＳ端末、タッチパネルを備えた機器
等を挙げることができる。そして、これらの各種電子機器に表示部として、上述した電気
光学装置からなる表示装置が適用可能なのはいうまでもない。
【０１４７】
本発明によれば、電流駆動による電気光学素子の駆動制御をより高精度に行い且つ構成
素子数の低減を図ることができる。
【図面の簡単な説明】
【０１４８】
【図１】本発明を適用した表示装置の概略構成を示すブロック図である。
【図２】本発明の第１の実施の形態における表示装置の要部の概略構成を示すブロック図である。
【図３】第１の実施の形態における画素回路の一例を示す回路図である。
【図４】第２の実施の形態における表示装置の要部の概略構成を示すブロック図である。
【図５】第３の実施の形態における表示装置の要部の概略構成を示すブロック図である。
【図６】第３の実施の形態における画素回路の一例を示す回路図である。
【図７】第４の実施の形態における表示装置の要部の概略構成を示すブロック図である。
【図８】第５の実施の形態における表示装置の要部の概略構成を示すブロック図である。
【図９】第５の実施の形態の動作説明に供する回路図である。
【図１０】第５の実施の形態の動作説明に供する説明図である。
【図１１】第６の実施の形態における表示装置の要部の概略構成を示すブロック図である。
【図１２】第７の実施の形態における表示装置の要部の概略構成を示すブロック図である。
【図１３】第７の実施の形態の動作説明に供する回路図である。
【図１４】第７の実施の形態の動作説明に供する説明図である。
【図１５】第８の実施の形態における表示装置の要部の概略構成を示すブロック図である。
【図１６】第９の実施の形態における表示装置の要部の概略構成を示すブロック図である。
【図１７】本発明に係る電気光学装置を適用した磁気抵抗ＲＡＭの概略構成を示す構成図である。
【図１８】本発明に係る電気光学装置を適用した電子機器の一例たるパーソナルコンピュータの構成を示す斜視図である。
【図１９】本発明に係る電気光学装置を適用した電子機器の一例たる携帯電話の構成を示す斜視図である。
【図２０】本発明に係る電気光学装置を適用した電子機器の一例たるディジタルスチルカメラの背面側の構成を示す斜視図である。
【図２１】従来の表示装置の一例を示すブロック図である。
【図２２】従来の画素回路の一例を示す回路図である。
【符号の説明】
【０１４９】
１…コントローラ、２，２Ａ，２Ｂ，２Ｃ，２Ｄ…画素領域、３…走査ドライバ、４…
データドライバ、４ａ…ドライバ、５，５Ａ，５Ｂ，５Ｃ…電流電圧変換回路、１０，１
０Ａ…画素回路、１２…変換トランジスタ、１３…抵抗、１４…有機エレクトロルミネッ
センス素子。
【図１】
2007233399.tif 000005
【図２】
2007233399.tif 000006
【図３】
2007233399.tif 000007
【図４】
2007233399.tif 000008
【図５】
2007233399.tif 000009
【図６】
2007233399.tif 000010
【図７】
2007233399.tif 000011
【図８】
2007233399.tif 000012
【図９】
2007233399.tif 000013
【図１０】
2007233399.tif 000014
【図１１】
2007233399.tif 000015
【図１２】
2007233399.tif 000016
【図１３】
2007233399.tif 000017
【図１４】
2007233399.tif 000018
【図１５】
2007233399.tif 000019
【図１６】
2007233399.tif 000020
【図１７】
2007233399.tif 000021
【図１８】
2007233399.tif 000022
【図１９】
2007233399.tif 000023
【図２０】
2007233399.tif 000024
【図２１】
2007233399.tif 000025
【図２２】
2007233399.tif 000026